(57)【特許請求の範囲】
【請求項１】
前面で飾り要素となる大剣部と、大剣部の裏面側に配置される小剣部とを別体で構成し、小剣部が、小剣部本体、小剣部本体の上端に両端が接続されてループが形成される帯状紐部とこの帯状紐部のループ内側縁部の下部側に縫い付けられるスライドファスナーとを有するループ形成部、及び、帯状紐部が挿通されると共に大剣部による結び目を形成するための芯となる略Ｙ字状の結び目芯体を備えるネクタイにおいて、
ループ形成部は、スライドファスナーのテープ部の一部が袋状の帯状紐部の内方に配置された状態で、テープ部と共に帯状紐部のループ内側縁部が縫い合わされて構成され、
結び目芯体は、
上部に、分離された帯状紐部をループ内側縁部が後方に位置するように挿通する２つの挿通孔を備え、
各挿通孔間の下方に形成されるスライダーが固定される固定部と、各挿通孔の外側壁部の下端後部近くでスライダーの上部近くに形成されて帯状紐部の裏面側のループ内側縁部とテープ部との間に入り込んで帯状紐部の縁部を前方側に押し上げる押上突起とを備えることを特徴とするネクタイ。
【請求項２】
請求項１に記載のネクタイにおいて、
各挿通孔の外側壁部における下端後部には、挿通孔内に帯状紐部を収容する際に帯状紐部のループ内側端部が外方に広がるのを抑制して帯状紐部を挿通孔内に案内する押さえ片が押上突起の近くまで延設され、
各押上突起の上部側で、押さえ片よりも内方に、挿通孔の内部にまで延び、押さえ片と平行して併設されるレール部が突設されているネクタイ。
【請求項３】
請求項１または請求項２に記載のネクタイにおいて、
押上突起は、下端部が円弧面を有するように形成されているネクタイ。
【請求項４】
請求項３に記載のネクタイにおいて、
押上突起は、前方先端が先細るテーパー面を有するように形成されているネクタイ。
【請求項５】
請求項１から請求項４の何れか１項に記載のネクタイにおいて、
帯状紐部の内部でスライドファスナーが縫い付けられていない部分には、帯状の芯紐が配置されているネクタイ。
【請求項６】
請求項１から請求項５の何れか１項に記載のネクタイにおいて、
大剣部を糸留めするために、結び目芯体の各挿通孔の間に、大剣部の上端部によって挿通孔を覆った状態で挿通孔の周りに糸を巻きつける際に針と糸を挿通する糸留め孔が、各挿通孔の下端近くに１つずつ形成されているネクタイ。
【発明の詳細な説明】
【技術分野】
【０００１】
本発明は、特に、大剣部とループを有する小剣部とが別個に形成されて、結び目の形状を維持したまま容易に着脱できるネクタイに関する。
【背景技術】
【０００２】
大検部と小剣部とが別個に形成され、小剣部が、下部の小剣部本体と、小剣部本体の上端に接続されるループ形成部と、ループ形成部のループの大きさを調整すると共に大剣部による結び目を形成するための芯となる結び目芯体とを備え、大剣部と小剣部とを組み合わせて構成するネクタイが提案されている（例えば特許文献１参照）。
【０００３】
上記ネクタイのループ形成部は、小剣部本体の上端に両端が接続されてループが形成される帯状紐部と、帯状紐部のループ内側縁部において両端部から所定長さに亘って形成されるスライドファスナーとを備えている。ループ形成部は、スライドファスナーの開閉により帯状紐部同士を接合または離反する。
【０００４】
また、結び目芯体は、スライドファスナーのスライダーが固定されると共に帯状紐部が摺動可能に挿通される挿通孔を有するように略Ｙ字状に形成されている。各挿通孔に帯状紐部を挿通させて、結び目芯体の外面に大剣部の上部を巻きつけて結び目を形成した後、結び目芯体を持って小剣部本体を引っ張ることによりループ形成部のループを小さくしたり、結び目芯体を下方に下ろしてループを大きくしたりしてループの大きさを調節するようになっている。
【先行技術文献】
【特許文献】
【０００５】
【特許文献１】特開２００２−１３８３１４号公報
【発明の概要】
【発明が解決しようとする課題】
【０００６】
ところで、小剣部本体に連続する帯状紐部は、見栄えを良くするために帯状紐部を小剣部本体と同じ生地で形成した方が好ましい。この場合、帯状紐部のループ内側縁部はスライドファスナーのエレメントに近ければ近いほど、帯状紐部は小剣部本体と同じ生地で形成される部分が多くなると共にスライドファスナーのテープ部が見え難くなり見栄えが良くなる。
しかしながら、帯状紐部のループ内側縁部がエレメントに近くなると、帯状紐部のループ内側縁部がスライダーに食い込んでしまう虞がある。
【０００７】
本発明は、帯状紐部のループ内側縁部がエレメントに近くなるようにループ形成部を形成しても、帯状紐部の縁部がスライダーに食い込むことを防止できて、見栄えの良いネクタイを提供することを目的とする。
【課題を解決するための手段】
【０００８】
本発明のネクタイは、
前面で飾り要素となる大剣部と、大剣部の裏面側に配置される小剣部とを別体で構成し、小剣部が、小剣部本体、小剣部本体の上端に両端が接続されてループが形成される帯状紐部とこの帯状紐部のループ内側縁部の下部側に縫い付けられるスライドファスナーとを有するループ形成部、及び、帯状紐部が挿通されると共に大剣部による結び目を形成するための芯となる略Ｙ字状の結び目芯体を備えるネクタイにおいて、
ループ形成部は、スライドファスナーのテープ部の一部が袋状の帯状紐部の内方に配置された状態で、テープ部と共に帯状紐部のループ内側縁部が縫い合わされて構成され、
結び目芯体は、
上部に、分離された帯状紐部をループ内側縁部が後方に位置するように挿通する２つの挿通孔を備え、
各挿通孔間の下方に形成されるスライダーが固定される固定部と、各挿通孔の外側壁部の下端後部近くでスライダーの上部近くに形成されて帯状紐部の裏面側のループ内側縁部とテープ部との間に入り込んで帯状紐部の縁部を前方側に押し上げる押上突起とを備えることを特徴とする。
【発明の効果】
【０００９】
本発明のネクタイによれば、帯状紐部のループ内側縁部の位置がスライドファスナーのエレメントの近くになるようにループ形成部を形成しても、前記押上突起により、帯状紐部の裏面側ループ内側縁部をスライドファスナーのテープ部から離れる方向に押し上げることができるので、帯状紐部がスライダー及びエレメントに食い込むのを防止することができる。
その結果、ループ形成部の下部を小剣部本体と略同様な見栄えにできるので、ネクタイ全体としての見栄えを良くすることができる。
【図面の簡単な説明】
【００１０】
【図１】本発明の実施形態に係るネクタイの分解説明図であって、(Ａ)が大剣部の正面から見た平面図を示し、（Ｂ）が小剣部の正面から見た平面図を示す。
【図２】本発明の実施形態に係るネクタイの小剣部におけるループ形成部に結び目芯体を取り付けた状態を示す部分正面図である。
【図３】本発明の実施形態に係るネクタイの結び目芯体における芯本体部の正面図である。
【図４】本発明の実施形態に係るネクタイの結び目芯体における芯本体部の背面図である。
【図５】本発明の実施形態に係るネクタイの結び目芯体における背面部の斜視図である。
【図６】本発明の実施形態に係るネクタイの結び目芯体における背面部の正面図である。
【図７】本発明の実施形態に係るネクタイの結び目芯体の全体正面図である。
【図８】本発明の実施形態に係るネクタイの大剣部を結び目芯体に巻きつける状態を示す説明図である。
【図９】本発明の実施形態に係るネクタイの完成した状態の要部を示す正面図である。
【図１０】本発明の実施形態に係るネクタイの完成した状態の要部を示す背面図である。
【発明を実施するための形態】
【００１１】
以下、本発明の実施形態にかかるネクタイ１を図面に基づいて説明する。図１〜図１０に示すように、本発明のネクタイ１は、前面で飾り要素となる大剣部２と、大剣部２の裏面側に配置される小剣部３とが別体で構成されている。個別に形成される大剣部２と小剣部３とを組み合わせることによりネクタイ１が構成されるようになっている。
【００１２】
大剣部２は、図１（Ａ）に示すように、下端が通常のネクタイの幅が広い一端側となる大剣部と同様な形状となり、上端が下端よりも幅の狭い一定幅が所定長さ続くように裁断して縫製されている。
【００１３】
さらに、大剣部２は、長手方向中央よりもやや上部域で一定幅となる部分の下方に、幅方向に摘んで縫い合わせたタック部２１が形成されている。このタック部２１により、図９に示すように、ネクタイ１の出来上がり時に逆三角形の結び目２２の下方にくぼみ（ディンプル）が形成されるようになっている。大剣部２は、結び目２２の下方にタック部２１が位置するように大剣部２の長さ及びタック部２１の形成位置等が設定されている。
【００１４】
また、小剣部３は、図１（Ｂ）に示すように、下端の小剣部本体４と、この小剣部本体４の上端に接続されるループ形成部５と、ループ形成部５に取り付けられて大剣部２による結び目２２を形成するための芯となる略Ｙ字状の結び目芯体６とを備える。
【００１５】
小剣部本体４は、下端が通常のネクタイの幅が狭い他端側となる小剣部と同様な形状に裁断して縫製されており、大剣部２を形成する生地と同じ生地を用いて形成されている。
【００１６】
ループ形成部５は、小剣部本体４の上端に両端が接続されてループが形成される帯状紐部５１と、この帯状紐部５１のループ内側縁部の下部側に縫い付けられるスライドファスナー５２とを有する。
【００１７】
帯状紐部５１は、図２に示すように、ループ内側縁部が縫い合わされた扁平な袋状の紐に形成されている。具体的には、小剣部本体４を構成する布地と同じ布地を用いたバイヤステープを半分に折り曲げ、この折り曲げにより形成された開放端部をさらに内側に折り曲げて縫い合わせることにより、扁平な袋状の紐に形成される。
【００１８】
スライドファスナー５２は、図１及び図２に示すように、２本のテープ部５３と、各テープ部５３の対向縁部に形成されるエレメント５４と、エレメント５４を開閉するスライダー５５とを備えている。
【００１９】
尚、前記スライドファスナー５２としては金属製のスライダー５５を具備する通常の形式のものが採用できる。スライダー５５は、図６に示すように、テープ部５３及びエレメント５４が挿通される胴体５５ａを有し、この胴体５５ａの頂面に一般に使用する際にスライダー５５を操作するための引き手が取り付けられる柱部５５ｂが突設されている。
【００２０】
柱部５５ｂは、スライダー５５の胴体頂面におけるエレメント５４が離れる側となる上端近くから突設されて、エレメント５４が接合される側となる下端部に向けて曲げられて形成されている。柱部５５ｂの下部先端は胴体頂面との間に隙間が形成されて配置されている。そして、スライダー５５は柱部５５ｂが外部に露出するように後述する樹脂製の結び目芯体６内に収容される。
【００２１】
また、スライドファスナー５２の双方のテープ部５３の上端部には、図２に示すように、サテンテープからなる帯状の芯紐５６の両端が縫い付けられている。この芯紐５６は、袋状の帯状紐部５１の内部でスライドファスナー５２が縫い付けられていない部分に配置されて帯状紐部５１の芯となる。この芯紐５６により、帯状紐部５１は、スライドファスナー５２が無い部分において保形性が良くなる。
【００２２】
スライドファスナー５２は、各テープ部５３のエレメント５４が形成されている内側とは反対側となる外側を帯状紐部５１の開放端部から内方に挿入しておいて、帯状紐部５１のループ内側縁部を縫製すると同時にテープ部５３も縫い合わされる。
スライドファスナー５２は、帯状紐部５１の両端部を揃えてループを形成した状態で、帯状紐部５１の両端部から所定長さに亘って縫いつけられる。帯状紐部５１は、スライドファスナー５２が縫い付けられていない部分が首周りへ装着される部分となる。
【００２３】
スライドファスナー５２及び芯紐５６の帯状紐部５１への取り付けについて具体的に説明する。
まず、帯状紐部５１を構成するバイヤステープを幅方向中央部で２つ折りにし、さらに、幅方向両端を内側に折り曲げておく。そして、帯状紐部５１の内部に芯紐５６を包み込むと共にテープ部５３を挟み込んで、バイヤステープの幅方向両端部を縫い合わせると同時にテープ部５３も縫い合わせる。この縫製によって、芯紐５６は帯状紐部５１の内側に隠され、スライドファスナー５２のテープ部５３の内側とエレメント５４が露出した状態でテープ部５３が帯状紐部５１に縫い付けられた状態になる。
【００２４】
ループ形成部５は、スライドファスナー５２が閉じられた状態の時に小剣部本体４の上端の幅とほぼ同一幅となり、スライドファスナー５２が開いた部分とそれに連続する帯状紐部５１のみの部分によりループが形成されるように構成される。
そして、帯状紐部５１とスライドファスナー５２のテープ部５３の下端部が小剣部本体４の上端部に縫い合わされる。
【００２５】
スライドファスナー５２は、スライダー５５を上部から下方に移動させることによりエレメント５４が開くように取り付けられる。スライダー５５をスライドすることによりエレメント５４を開閉して、帯状紐部５１により形成されるループの大きさを調整するようになっている。
【００２６】
結び目芯体６は、大剣部２による結び目を形成するための芯となるだけでなく、図１及び図２に示すように、帯状紐部５１が挿通されると共にスライドファスナー５２のスライダー５５が内方に固定されるようになっている。この結び目芯体６により、帯状紐部５１によるループの大きさを調節できるようになっている。
【００２７】
結び目芯体６は、図２〜図７に示すように、前方に突出し、かつ、正面視において全体に略Ｙ字状になるように構成されている。結び目芯体６は、上部に帯状紐部５１を挿通する２つの挿通孔６１ａ，６１ｂを備え、挿通孔６１ａ，６１ｂの下方にスライダー５５が固定される固定部６２を備えている。分離された帯状紐部５１は、ループ内側縁部が後方に位置するように各挿通孔６１ａ，６１ｂに挿通されるようになっている。
【００２８】
さらに、結び目芯体６は、後方に開放する芯本体部７と、芯本体部７の輪郭に略一致する外形を有し、芯本体部７の後方開放部を閉塞する板状の背面部８とから構成されている。
【００２９】
芯本体部７には、斜め上下方向及び後方に開放するように一対の溝部７１ａ，７１ｂが略Ｖ字状に形成されている。溝部７１ａ，７１ｂは芯本体部７の前後方向に細長くなる断面略Ｕ字状に形成されている。溝部７１ａ，７１ｂを背面部８によって閉塞することにより、帯状紐部５１を挿通させるための挿通孔６１ａ，６１ｂが形成される。
【００３０】
尚、大剣部２を結び目芯体６に巻き付けて結び目を綺麗に形成するために、一方の挿通孔６１ａは他方の挿通孔６１ｂよりもやや長く形成されている。
【００３１】
各溝部７１ａ，７１ｂにおける芯本体部７の中心側の壁部の下部には、図３及び図４に示すように、下方に向けて湾曲した曲面壁部７２が延設されており、さらに曲面壁部７２から下方に向けてまっすぐに垂直壁部７３が延設されている。図２及び図３に示すように、各曲面壁部７２の前端部は、挿通孔６１ａ，６１ｂの頂部と同じ高さを有し、芯本体部７の前面となる中央頂面部７４で連結されている。各垂直壁部７３の前端部は、中央頂面部７４に連続する曲面に形成されている。
【００３２】
芯本体部７の中央頂面部７４よりも下方に形成される曲面には、図２、図３及び図７に示すように、前方に開放する凹部７６が形成されており、この凹部７６の底面には、図３及び図４に示すように、スライダー５５の胴体５５ａの頂面に突設されている柱部５５ｂが貫通する貫通孔７７が形成されている。
【００３３】
スライダー５５は、凹部７６の裏面側に配置されて、柱部５５ｂを凹部７６に形成された貫通孔７７に嵌め込んで下方に少し移動させて、柱部５５ｂの先端部を凹部７６の底面に圧接させることにより、スライダー５５を芯本体部７に取り付けるようにしている。
【００３４】
さらに、芯本体部７の凹部７６より上方で、芯本体部７の略中心部の裏面側には、後述する背面部８に形成するピン部８２が嵌め込まれるピン部嵌合穴７８が形成されている。
【００３５】
芯本体部７は、凹部７６の裏面側にエレメント５４で接合されて扁平状態となっている帯状紐部５１及びテープ部５３を配置させるようになっている。そして、図２に示すように、スライダー５５によって分離した帯状紐部５１及びテープ部５３は、曲面壁部７２及び垂直壁部７３によって扁平状態から外側を前方側に起立させてスムーズに挿通孔６１ａ，６１ｂに案内されるようになっている。
【００３６】
さらに、図２、図３及び図７に示すように、溝部７１ａ，７１ｂの外側壁部における開放端部の下端には、溝部７１ａ，７１ｂ内に帯状紐部５１を収容する際に帯状紐部５１のループ内側端部が外方に広がるのを抑制して帯状紐部５１を挿通孔６１ａ，６１ｂ内にスムーズに案内する押さえ片７５が延設されている。押さえ片７５は、後述する押上突起８３の近くまで下方に向けて延設されている。
【００３７】
また、芯本体部７の中央頂面部７４の上端部で各挿通孔６１ａ，６１ｂの間には、大剣部２の上端部で挿通孔６１ａ，６１ｂを覆った状態で挿通孔６１ａ，６１ｂの周りに糸を巻きつける際に針と糸を挿通する長円形状の糸留め孔７９が横向きに２個形成されている。糸留め孔７９は、それぞれ挿通孔６１ａ，６１ｂの下端近くに１つずつ形成されている。糸留め孔７９を利用して、大剣部２の上端部を結び目芯体６に糸留めにより固定することができる。
【００３８】
背面部８は、図５及び図６に示すように、芯本体部７の凹部７６と対向する中央下部域に、スライダー５５が嵌まり込む浅い皿状のスライダー受部８１が形成されている。
【００３９】
また、背面部８の正面でスライダー受部８１の上方には、芯本体部７に形成したピン部嵌合穴７８に嵌合されるピン部８２が突設されている。芯本体部７のピン部嵌合穴７８にピン部８２を嵌合することにより、芯本体部７と背面部８との位置合わせが容易になると共に、芯本体部７と背面部８との離脱が起こり難くなる。
【００４０】
さらに、図５から図７に示すように、背面部８におけるスライダー受部８１に嵌め込まれたスライダー５５の上部近くで各挿通孔６１ａ，６１ｂの押さえ片７５の下方に、帯状紐部５１の裏面側のループ内側縁部とテープ部５３との間に入り込んで帯状紐部５１の縁部を前方側に押し上げる押上突起８３が形成されている。
【００４１】
押上突起８３は、下端部が傾斜した円弧面８３ａを有するように形成されており、さらに、前方先端が先細るテーパー面８３ｂを有するように形成されている。
押上突起８３は、帯状紐部５１と共にスライドファスナー５２のテープ部５３が挿通孔６１ａ，６１ｂを通過する時に、帯状紐部５１の裏面側のループ内側縁部とテープ部５３との間に先端部が入り込むようになっている。
【００４２】
押上突起８３が帯状紐部５１とテープ部５３との間に入り込むことにより、帯状紐部５１の裏面側のループ内側縁部が前方側に押し上げられてエレメント５４から離れるので、帯状紐部５１の裏面側のループ内側縁部の位置がエレメント５４の近くであっても、このループ内側縁部がスライダー５５に食い込むのを防止できる。
【００４３】
特に、押上突起８３の下端部を円弧面８３ａとしているので、帯状紐部５１及びテープ部５３が押上突起８３により傷つくことなく、帯状紐部５１のループ内側縁部を押し上げることができる。
さらに、押上突起８３を前端が先細るテーパー面を有するように形成することにより、帯状紐部５１のループ内側縁部とテープ部５３との間に押上突起８３の先端が入り込み易くなり、帯状紐部５１のループ内側縁部をスムーズに押し上げることができる。
【００４４】
さらに、背面部８における各押上突起８３の上部側には、挿通孔６１ａ，６１ｂの内部にまで延びるレール部８４が突設されている。各レール部８４は、対向する押さえ片７５よりも内方で押さえ片７５と平行するように併設されている。これらレール部８４の外側に、押上突起８３により押し上げられた帯状紐部５１のループ内側縁部が配置され、帯状紐部５１のループ内側縁部がレール部８４と押さえ片７５とによって挟み込まれた状態になる。
【００４５】
次に、帯状紐部５１とスライドファスナー５２とを有するループ形成部５が小剣部本体４に縫い合わされた状態の物に結び目芯体６を装着させる手順について説明する。
【００４６】
まず、スライドファスナー５２に設けられているスライダー５５の柱部５５ｂを、芯本体部７の背面側から、凹部７６の底面に設けた貫通孔７７に嵌め込んで、芯本体部７の凹部７６の裏面にスライダー５５の胴体５５ａの頂部を接触させてスライダー５５を芯本体部７に取り付ける。
【００４７】
そして、スライダー５５よりも上方の分離している帯状紐部５１を溝部７１ａ，７１ｂ内にそれぞれ配置させる。このとき、溝部７１ａ，７１ｂのＵ字形状に合わせて、帯状紐部５１のループ内側縁部が後方、即ち、溝部７１ａ，７１ｂの開放側となるように帯状紐部５１を起立させた状態で収容する。
【００４８】
溝部７１ａ，７１ｂの下端に延設される押さえ片７５で帯状紐部５１のループ内側縁部を押さえるようにして、芯本体部７に形成したピン部嵌合穴７８に背面部８に形成したピン部８２を嵌め込んで、芯本体部７の裏面側を背面部８で閉塞させて結び目芯体６を構成する。
【００４９】
芯本体部７の裏面側を背面部８で塞ぐ際、背面部８に形成するスライダー受部８１の内部にスライダー５５の胴体が配置されて、スライダー５５の胴体５５ａが芯本体部７の凹部７６の裏面とスライダー受部８１とにより挟持された状態になる。その結果、スライダー５５は、前後、左右、上下の何れの方向へも位置ずれすることなく結び目芯体６の内部に装着された状態になる。
【００５０】
本実施形態では、芯本体部７に形成された凹部７６、背面部８に形成されたスライダー受部８１により、スライダー５５を固定する固定部６２が構成される。
【００５１】
そして、芯本体部７の開放端部に背面部８を接着して固定すると、芯本体部７の凹部７６の底面と、これに対応する背面部８のスライダー受部８１との間に、下方及び両側方に開放する所定幅の間隙部が形成される。この間隙部にスライダー５５の胴体５５ａに形成されるテープ溝が開放されて、スライドファスナー５２のテープ部５３とエレメント５４が間隙部から食み出した状態になる。
【００５２】
また、溝部７１ａ，７１ｂと背面部８とからなる一対の挿通孔６１ａ，６１ｂには帯状紐部５１が挿通された状態になる。
このようにして、結び目芯体６の内部にスライダー５５が収容された状態で、結び目芯体６がループ形成部５に取り付けられた状態になる。
【００５３】
小剣部３は、結び目芯体６を帯状紐部５１の長手方向に添って上下させることによりスライダー５５も移動することになり、スライダー５５の移動によってスライドファスナー５２が開閉される。結び目芯体６よりも上方に位置する帯状紐部５１によって形成されるループは、スライドファスナー５２の開閉により大きさが調整される。
【００５４】
例えば、結び目芯体６をスライドファスナー５２の上端部に達するまで上昇させると、結び目芯体６の上方には帯状紐部５１のみからなる最小のループが形成される。この最小のループの大きさは、ワイシャツの最小サイズの首回りよりも小さくなるようにその寸法を設定しておく。
【００５５】
逆に、結び目芯体６をスライドファスナー５２の下端近傍にまで降下させると、帯状紐部５１がスライドファスナー５２のテープ部５３及びエレメント５４と共に結び目芯体６の挿通孔６１ａ，６１ｂに挿通されて、小剣部本体４の上端に結び目芯体６が位置して、帯状紐部５１のほぼ全域でループが形成される。この時のループ形成部５の大きさは頭部が十分入る大きさになっている。
【００５６】
そして、この結び目芯体６に大剣部２の上端近傍を巻き付ければ、簡易ネクタイが完成する。
大剣部２を結び目芯体６に巻き付けるには、まず、図８に示すように、大剣部２の上端部を下にして、大剣部２の上端部裏面を結び目芯体６の前面に対向させて固定する。
【００５７】
大剣部２の結び目芯体６への固定は、結び目芯体６の芯本体部７に形成した糸留め孔７９に針と糸を通しながら大剣部２の上端部を芯本体部７に糸で留め、さらに、大剣部２の上端部によって双方の挿通孔６１ａ，６１ｂを覆った状態で、糸留め孔７９に針と糸を通しながら挿通孔６１ａ，６１ｂの周りを糸で巻くようにして大剣部２の上端部を結び目芯体６に固定する。
【００５８】
次に、図８に示すように、大剣部２の下端部を、ループに形成されている帯状紐部５１の内部に結び目芯体６の前側から後方に向けて通す。そして、大剣部２を長い方の挿通孔６１ａへ裏側から巻き付けて、結び目芯体６の前面を覆って、他方の挿通孔６１ｂの外側に巻き付ける。大剣部２を、ループに形成されている帯状紐部５１の内部に後方から前方に向けて通し、結び目芯体６の前面を包囲している大剣部２の裏面側を潜らせて通常のネクタイを締める場合と同様に大剣部２を下方へ引き下ろす。
【００５９】
大剣部２を結び目芯体６に巻き付けて結び目２２を形成した後、図１０に示すように、結び目２２の裏側のＸで示す所定箇所を縫い付けて結び目２２が崩れないように固定する。
【００６０】
これにより、図９及び図１０に示すように、大剣部２によって結び目芯体６を包囲するように逆三角形の結び目２２が形成される。そして、結び目２２の下方の前側には大剣部２の残りの部分が垂れ下がり、その後方にはスライドファスナー５２によって接合された帯状紐部５１と小剣部本体４とからなる小剣部３が垂れ下がった状態になる。また、結び目２２の上方には、帯状紐部５１がループに形成されてネクタイ１が完成する。結び目２２のすぐ下方には、大剣部２に予め形成されているタック部２１が位置してくぼみが形成される。
【００６１】
これにより、結び目２２は結び目芯体６と共に、帯状紐部５１上をスライドすることとなり、結び目２２を降下させて、ループ形成部５を頭部が入る程度に拡大させ、帯状紐部５１をシャツの襟の下に入れ込んだ後、適度な締め具合となるように結び目２２を引上げれば、ネクタイ１の装着が完了する。
【００６２】
本実施形態のネクタイ１によれば、結び目芯体６が帯状紐部５１上をスライドする際、結び目芯体６には押上突起８３が形成されているので、押上突起８３により、帯状紐部５１の裏面側ループ内側縁部をスライドファスナー５２のテープ部５３から離れる方向に押し上げることができる。
その結果、帯状紐部５１のループ内側縁部の位置がエレメント５４の近くになるまで帯状紐部５１の面積を広げても、帯状紐部５１の縁部がスライダー５５に食い込むのを防止することができる。
【００６３】
さらに、押上突起８３により押し上げられた帯状紐部５１のループ内側縁部は、レール部８４と押さえ片７５とによって挟み込まれた状態になるので、帯状紐部５１が分離されても、挿通孔６１ａ，６１ｂを出るまでは、押し上げ状態を維持することができるので、スライダー５５によるエレメント５４の開閉をスムーズに行うことができる。
【００６４】
このように、本実施形態のネクタイ１は、結び目芯体６に押上突起８３を形成して、帯状紐部５１の縁部がスライダー５５に食い込むのを防止することができるので、ループ形成部５の下端部はできるだけスライドファスナー５２が見えないようにすることができて、ネクタイ全体としての見栄えを良くすることができる。
【００６５】
また、ネクタイ１の装着が完了した時点で、帯状紐部５１の結び目２２よりも上方は、シャツの襟の下に隠れて見えないため、通常のネクタイと何ら変わらない装着状態となる。
【００６６】
なお、本発明のネクタイは、上述の実施の形態のみに限定されず、本発明の範囲内で種々の変更を施すことが可能である。
【符号の説明】
【００６７】
１  ネクタイ
２  大剣部
３  小剣部
４  小剣部本体
５  ループ形成部
６  結び目芯体
７  芯本体部
８  背面部
２２  結び目
５１  帯状紐部
５２  スライドファスナー
５３  テープ部
５４  エレメント
５５  スライダー
５６  芯紐
６１ａ，６１ｂ  挿通孔
６２  固定部
７９  糸留め孔
８３  押上突起
８３ａ  円弧面
８３ｂ  テーパー面
【図１】
0005973545.tif 000002
【図２】
0005973545.tif 000003
【図３】
0005973545.tif 000004
【図４】
0005973545.tif 000005
【図５】
0005973545.tif 000006
【図６】
0005973545.tif 000007
【図７】
0005973545.tif 000008
【図８】
0005973545.tif 000009
【図９】
0005973545.tif 000010
【図１０】
0005973545.tif 000011